(57)【要約】【課題】構造が簡単で、小型軽量化が可能となり、パソコン用マウスを持った腕を良好に支持して、マウスの操作を疲れずに良好に行なうことができるマウス操作用支持具を提供する。【解決手段】このマウス操作用支持具は、パソコン用マウスＭを操作する際、腕を支持するマウス操作用支持具である。移動台１の底部に４個の球体６がその一部を下側に突き出して転動自在に装着される。移動台１上に、腕を支持する凹面状の腕置き部７が取り付けられ、腕置き部７上にクッション材１０が配設される。【選択図】図１
0003097035.tif 000002
【実用新案登録請求の範囲】
【請求項１】
パソコン用マウスを操作する際、腕を支持するマウス操作用支持具において、
移動台の底部に４個の球体がその一部を下側に突き出して転動自在に装着され、該移動台上に、腕を支持する凹面状の腕置き部が取り付けられ、該腕置き部上にクッション材が配設されたことを特徴とするマウス操作用支持具。
【請求項２】
前記移動台は、前記腕置き部を支持する支持板の下面に底板を取り付けて構成され、該支持板の下面には球体を回転自在に支持する球面座部が設けられ、該底板には、前記４個の球体を転動自在に支持する孔部が形成されたことを特徴とする請求項１記載のマウス操作用支持具。
【考案の詳細な説明】
【０００１】
【考案の属する技術分野】
本考案は、パソコン用マウスを操作する際、そのマウスを持った手の腕を支持するために使用するマウス操作用支持具に関する。
【０００２】
【従来の技術】
パーソナルコンピュータを操作する場合、ポインターやカーソルの移動操作、或いはアイコンのクリック操作などに、パソコン用マウスは使用頻度の高い器具として、広く使用されている。
【０００３】
【考案が解決しようとする課題】
しかし、パソコン用マウスの操作は、ゴムマットなどを机上に置き、その上に置いたマウスを手で持ち、そしてその腕を机上に置き、或いは腕を机上から浮かした状態で、マウスを前後左右に動かすように操作するため、長く使用すると、腕が疲れやすいという問題があった。このため、従来、パソコン用マウスを操作する際、腕を移動自在に支持する支持具として、種々のマウス操作用支持具が提案されている。しかしながら、従来のこの種のマウス操作用支持具は、何れも構造が複雑で、形状が大型化し、使いづらいという課題があった。
【０００４】
本考案は、上述の課題を解決するものであり、構造が簡単で、小型軽量化が可能となり、パソコン用マウスを持った腕を良好に支持して、マウスの操作を疲れずに良好に行なうことができるマウス操作用支持具を提供することを目的とする。
【０００５】
【課題を解決するための手段】
上記目的を達成するために、本考案に係るマウス操作用支持具は、パソコン用マウスを操作する際、腕を支持するマウス操作用支持具において、移動台の底部に４個の球体がその一部を下側に突き出して転動自在に装着され、移動台上に、腕を支持する凹面状の腕置き部が取り付けられ、腕置き部上にクッション材が配設されたことを特徴とする。
【０００６】
ここで、上記マウス操作用支持具においては、請求項２のように、上記移動台は、腕置き部を支持する支持板の下面に底板を取り付けて構成され、支持板の下面には球体を回転自在に支持する球面座部が設けられ、底板には、４個の球体を転動自在に支持する孔部を形成することができる。
【０００７】
【作用】
このように構成されたマウス操作用支持具は、パソコン用マウスを使用する際、机上に置き、マウスを持った手の腕の部分を、その支持具の腕置き部上に置いて使用する。
【０００８】
マウスを持った腕をマウス操作用支持具上の腕置き部上に載置すると、腕はその腕置き部を介して支持具の移動台上に支持され、腕置き部の凹面上にクッション材が装着されているため、腕の下半分は凹面に沿ったクッション材で安定して良好に保持される。
【０００９】
一方、腕置き部を下から支持する移動台の底部には、４個の球体がその一部を下側に突き出して回転自在に装着されており、球面座部で全ての方向に転動自在に支持されるため、移動台は前後左右あらゆる方向に自在に移動することができる。
【００１０】
したがって、パソコン用マウスの移動操作を行う人は、腕置き部に載せた腕を動かすと、非常に軽くあらゆる方向に移動させることができ、その状態で腕全体を左右前後に動かしながら手で持ったマウスを動かすことになる。
【００１１】
このため、マウスを持った手を動かす際、その腕が机上に接して摩擦抵抗が生じることがなく、しかも、マウスを持った手の腕を浮かせてマウスを動かす必要がないから、腕に力を入れることなく非常に楽にパソコン用マウスを動かすことができる。
【００１２】
したがって、長時間にわたりパソコンを操作した際にも、腕の疲れを感じずに能率よくパソコン用マウスを操作して、パソコンを使用することができる。また、腕が机上に接することがないので、洋服の袖や肘などが机上に触れて汚れることがなくなる。
【００１３】
さらに、請求項２のように、移動台は、腕置き部を支持する支持板の下面に底板を取り付けて構成し、支持板の下面に球体を回転自在に支持する球面座部を設け、底板に４個の球体を転動自在に支持する孔部を形成する構造とすれば、簡単な構造であっても、支持具の移動台を机上で全方向に軽くスムーズに移動させることができる。
【００１４】
【考案の実施の形態】
以下、本考案の一実施形態を図面に基づいて説明する。図１はマウス操作用支持具の斜視図を示し、図２はその正面図を示している。このマウス操作用支持具は、移動台１の上に、腕を支持する凹面状の腕置き部７が取り付けられ、腕置き部７上にクッション材１０が取着されて構成されている。移動台１には、その底部に４個の球体６がその一部を下側に突き出して転動自在に装着されている。
【００１５】
移動台１は、上部に支持板２を配設し、その支持板２の下部に枠部３を介して底板４を取り付けて、矩形の箱型に形成されている。支持板２の内側（下面部）には、４箇所に球体６を支持するための球面座部５が設けられている。これらの球面座部５は、球体６の上部を包囲するように球状凹面を有して形成され、球体６をその上部から回転（転動）自在に少ない摩擦抵抗で保持するように構成される。
【００１６】
支持板２の下部には、枠部３を介して底板４が取り付けられるが、この底板４には、上記球面座部５に対応した４箇所に、孔部４ａが穿設されている。これらの孔部４ａは、球体６の一部が下方に突き出す程度の大きさに形成され、回転する球体６を小さな摩擦抵抗で支持するように形成される。球体６としては、例えばパチンコ球のような鋼球を使用することができる。移動台１の支持板２、枠部３、及び底板４は、合成樹脂で形成することができるが、木材を使用して形成することもできる。
【００１７】
上記のように構成された移動台１の上には、腕を支持する凹面状の腕置き部７が取り付けられる。この腕置き部７は、円筒をその軸方向に沿って半分にした形状の半円筒状凹面板８の内側に、クッション材１０を取着して形成されている。半円筒状凹面板８は、その上面内側に腕を載せて保持可能な程度の大きさ形成され、上記移動台１の支持板２の上に、略水平に固定される。
【００１８】
半円筒状凹面板８は、合成樹脂で形成することができるが、木材を使用して形成することもできる。そして、この半円筒状凹面板８の上面内側に、スポンジ、不織布、綿、若しくはそれらのクッション材を布で包囲して形成されるクッション材１０が、取着される。
【００１９】
このように構成されたマウス操作用支持具は、図５のように、パソコン用マウスを使用する際、机上のマウスパッドの上などにマウスＭを置き、マウスＭを持った手の腕の部分を、その支持具の腕置き部７上に置いて使用する。
【００２０】
マウスＭを持った腕をマウス操作用支持具上の腕置き部７上に載置すると、腕はその腕置き部７を介して支持具の移動台１上に支持されることとなり、腕置き部７の半円筒状凹面板８の内側にクッション材１０が装着されているため、腕の下半分はその凹面に沿ったクッション材１０の内側に保持される。また、腕置き部７は半円筒状凹面板８で形成されるため、その長手方向（軸方向）に沿って腕を載せると、良好に保持され、安定して腕を載せておくことができる。
【００２１】
一方、腕置き部７を下から支持する移動台１の底部には、４個の球体６がその一部を下側に突き出して回転自在に装着されており、それらの球体６が球面座部５と孔部４ａで回転自在に支持されるため、移動台１は前後左右あらゆる方向に自在に移動することができる。
【００２２】
したがって、パソコンを使用する際、パソコン用マウスの移動操作を行う人は、腕置き部７に載せた腕を動かすと、移動台１が非常に軽く動いて、あらゆる方向に移動させることができ、その状態で腕全体を左右前後に動かしながら、手で持ったマウスＭを動かすことになる。
【００２３】
このため、マウスＭを持った手を動かす際、その腕が机上に接して摩擦抵抗が生じることがなく、しかも、マウスＭを持った手の腕を浮かせてマウスを動かす必要がなく、腕には力を入れずに非常に楽にパソコン用マウスＭを動かすことができる。
【００２４】
したがって、長時間にわたりパソコンを操作した際にも、腕の疲れを感じずに能率よくパソコン用マウスを操作して、パソコンを使用することができる。また、腕が机上に接することがないので、袖や肘などが机上に触れて汚れることがないなどの利点もある。
【００２５】
【考案の効果】
以上説明したように、本考案に係るマウス操作用支持具によれば、移動台の底部に４個の球体がその一部を下側に突き出して転動自在に装着され、移動台上に、腕を支持する凹面状の腕置き部が取り付けられ、腕置き部上にクッション材を配設して構成したから、構造が簡単であり、小型で軽量に作ることができ、机上にあっても邪魔にならず、便利に使用することができる。
【００２６】
また、使用時、マウスを持った腕は、その腕置き部を介して支持具の移動台上に支持され、腕置き部の凹面上にクッション材が装着されているため、腕の下半分は凹面に沿ったクッション材で安定して良好に保持することができる。
【００２７】
さらに、腕置き部を下から支持する移動台の底部には、４個の球体がその一部を下側に突き出して回転自在に装着されており、球面座部で全ての方向に転動自在に支持されるため、移動台は前後左右あらゆる方向に自在に移動することができ、パソコン用マウスの移動操作を行う人は、腕置き部に載せた腕を楽に動かすだけで、非常に軽くあらゆる方向に移動させることができ、その状態で腕全体を左右前後に動かしながら手で持ったマウスを動かすことになる。
【００２８】
このため、マウスを持った手を動かす際、その腕が机上に接して摩擦抵抗が生じることがなく、しかも、マウスを持った手の腕を浮かせてマウスを動かす必要がないから、腕に力を入れることなく非常に楽にパソコン用マウスを動かすことができ、腕の疲れを軽減して、パソコン操作の能率を向上させることができる。
【図面の簡単な説明】
【図１】本考案の一実施形態を示すマウス操作用支持具の斜視図である。
【図２】同支持具の正面図である。
【図３】図１のＩＩＩ−ＩＩＩ断面図である。
【図４】図１のＩＶ−ＩＶ断面図である。
【図５】使用状態を示すマウス操作用支持具の側面図である。
【符号の説明】
１−移動台
２−支持板
３−枠部
４−底板
４ａ−孔部
５−球面座部
６−球体
７−腕置き部
８‐半円筒状凹面板
１０‐クッション材
Ｍ−パソコン用マウス
【図１】
0003097035.tif 000003
【図２】
0003097035.tif 000004
【図３】
0003097035.tif 000005
【図４】
0003097035.tif 000006
【図５】
0003097035.tif 000007